(57)【要約】【課題】第１筐体と第２筐体とを互いにスライド移動可能に連結した携帯端末において、テンプレートを第１筐体または第２筐体に係合させた状態でスライド移動可能とする。【解決手段】連結機構部３０の下部には、テンプレート４０を第１筐体１０のディスプレイ裏面１３に常に押し当てるように付勢するコイルスプリング３１が外嵌されており、第２筐体２０の左右両側面２４，２４には、一対の係止杆５１，５１が対向配置されている。そして、係止杆５１，５１を閉じた状態としたとき、テンプレート４０の左右両端部が係止杆５１，５１によって下方に押し下げられ、テンプレート４０は第２筐体２０のキーボード面２２に押し付けられた状態となる一方、係止杆５１，５１が開いた状態のとき、テンプレート４０は、コイルスプリング３１によって第２筐体２０のキーボード面２２から浮き上がり、第１筐体１０のディスプレイ裏面１３に押し付けられた状態となる。【選択図】図２
2009003634.tif 000002
【特許請求の範囲】
【請求項１】
ディスプレイが配置されたディスプレイ面と当該ディスプレイ面の裏面となるディスプレイ裏面とを有する第１筐体と、キーボードが配置されたキーボード面を有する第２筐体と、前記キーボード面を前記ディスプレイ裏面が覆う第１姿勢と前記キーボード面を露出させる第２姿勢との間で前記第１筐体と前記第２筐体とを互いにスライド移動可能に連結する連結機構部とからなる携帯端末であって、
前記キーボード面上に配置されるテンプレートと、
前記テンプレートをキーボード面上に配置したまま前記第１姿勢から前記第２姿勢へスライド移動する第１状態と、前記テンプレートを前記ディスプレイ裏面に係合させて前記第１姿勢から前記第２姿勢へスライド移動する第２状態とを切り換える切換手段と、
前記切換手段に応じて、キーボード操作に伴うキーコードを変更するテーブル選択手段と、を備えていることを特徴とする携帯端末。
【発明の詳細な説明】
【技術分野】
【０００１】
本発明は、上面にディスプレイが配置された第１筐体と、上面にキーボードが配置された第２筐体とを上下に重ね合わせた状態で互いにスライド移動可能に連結された携帯端末に関する。
【背景技術】
【０００２】
一般的に、１つのキーボタンを複数の機能に割り当てること（すなわち、モード毎若しくは起動しているソフト毎に特定のキー操作に対する動作内容が異なるよう切り換えること）は、複写機やＦＡＸ等のオフィス機器に限らず、多くの機器で取り入れられている。特に、携帯電話に代表される携帯端末では、電話（通話）機能と電子メールに代表される通信機能とを主体として、これにパソコンに代表される情報機器機能（例えば、インターネットアクセス機能）、さらには、ＴＶ受信機能等の多くの機能が取り入れられており、益々、多機能化の傾向にある。
【０００３】
これらの機器は、持ち運びを主たる商品コンセプトとすることから、端末全体のサイズに対するユーザ要求（持ち運びに不便さを感じない程度のサイズに納める要求）は大きいが、相反するユーザ要求として、キー操作の容易さ（所定のキーサイズの要求）が求められていることも事実である。キー操作の容易さについては、端末上に配置可能なキー数に限界があることから、従来から、１つのキーボタンに数多くの機能を割り当て、必要に応じてこれらキー機能を使い分けることが提案されている。
【０００４】
例えば、特許文献１の従来技術の欄には、ヒンジ部に取り付けられた数枚のテンプレートを、本や雑誌のページめくりのように選択可能（差し換え可能）とした、最も一般的な操作パネルの構造が開示されている。そして、この従来技術に対し、特許文献１では、パネル窓及びキーを有するプレートの下に、多種類の表示パターンを表示した単一のパターンシートを移動可能に配置し、所望の表示パターンをパネル窓に一致させることで、そのパターンシートの位置に応じてマルチ操作表示パネルの入力機能が、表示パターンの種類に対応して切り換えられるようになっている。この構成によれば、単一のパターンシート上に表示パターンを表示するため、省スペース化が可能であり、パターンシートの重ね合わせがないため、操作感も変らないといった利点がある。
【０００５】
また、特許文献２には、機能表示プレート（テンプレート）を筐体の操作面に装着しない状態では、テンキーはその表面に設けられた表示に対応する基本機能に設定され、機能表示プレートを筐体の操作面に装着すると、その装着を検知して、制御手段が、テンキーの機能を機能表示プレートの表面または裏面に設けられた表示に対応する機能となるように切り替えることが開示されている。すなわち、特許文献２は、複数枚のテンプレートを差し換え可能とすることや、装着されているテンプレートに応じて、キー割り当てを変更する等の、従来、オフィス機器で採用されていた技術を、携帯端末に取り入れたものである。
【０００６】
また、特許文献３には、ワンタッチキー群の上に宛先を記入したラベルを貼った切替プレート（テンプレート）をセットし、この切替プレートを支点軸を中心に回動できるように構成することで、切替プレートの位置に応じて切替スイッチをオン、オフすることが開示されている。そして、この切替プレートは、可撓性を有する材料で形成されており、少し撓ませれば切替プレートの軸を、操作パネル本体に設けた軸受突起の軸穴に差し込めるようになっており、脱着が容易に行える構成となっている。
【特許文献１】特開平５−１２７７９５号公報
【特許文献２】実開平７−３９１５３号公報
【特許文献３】特開２００３−３４６５８７号公報
【発明の開示】
【発明が解決しようとする課題】
【０００７】
しかしながら、携帯端末は、持ち運びやモバイル利用を主たる商品コンセプトとしている。従って、テンプレートの差し換えが移動時にも行なわれることを考慮する必要があるが、上記特許文献１〜３の技術は、基本的にオフィス機器を想定していることから、取り外されたテンプレートの収納等についての考慮がされていない。具体的には、特許文献２の技術を携帯端末で実装しようとすると、例えば取り外されたテンプレートを収納するスペースを携帯端末内に設ける等の工夫が必要となる。また、このようにテンプレートを携帯端末と分離可能に設けると、テンプレートを無くしてしまう可能性があるといった問題もあった。
【０００８】
この問題は、特許文献１の従来技術に開示されている操作パネル構造では生じない。しかし、この特許文献１の従来技術の操作パネル構造は、上面にディスプレイが配置された第１筐体と、上面にキーボードが配置された第２筐体とを上下に重ね合わせた状態で互いにスライド移動可能に連結された携帯端末には不向きな構造であり、このような構造の携帯端末に実装することは難しい。
【０００９】
本発明は係る実情に鑑みて創案されたもので、その目的は、上面にディスプレイが配置された第１筐体と、上面にキーボードが配置された第２筐体とを上下に重ね合わせた状態で互いにスライド移動可能に連結された携帯端末において、異なる機能のキーボタンが配置されたテンプレートを第１筐体側または第２筐体側に係合させた状態でスライド移動可能とすることで、キー機能の切り替えを容易に行える携帯端末を提供することにある。
【課題を解決するための手段】
【００１０】
上記課題を解決するため、本発明の携帯端末は、ディスプレイが配置されたディスプレイ面と当該ディスプレイ面の裏面となるディスプレイ裏面とを有する第１筐体と、キーボードが配置されたキーボード面を有する第２筐体と、前記キーボード面を前記ディスプレイ裏面が覆う第１姿勢と前記キーボード面を露出させる第２姿勢との間で前記第１筐体と前記第２筐体とを互いにスライド移動可能に連結する連結機構部とからなる携帯端末であって、前記キーボード面上に配置されるテンプレートと、前記テンプレートをキーボード面上に配置したまま前記第１姿勢から前記第２姿勢へスライド移動する第１状態と、前記テンプレートを前記ディスプレイ裏面に係合させて前記第１姿勢から前記第２姿勢へスライド移動する第２状態とを切り換える切換手段と、前記切換手段に応じて、キーボード操作に伴うキーコードを変更するテーブル選択手段とを備えた構成としている。
【００１１】
すなわち、第１状態では、第２筐体に対して第１筐体をスライド移動させても、テンプレートは第２筐体のキーボード面上に配置したままであり、スライド移動しない構造となっている。そのため、切換手段は、第１状態では、テンプレートを第２筐体のキーボード面上に押さえ付けた状態で固定するように、例えば係止爪等によってテンプレートの縁部を係止固定する構造となっている。このとき、テンプレートの下面に第１突起を設けておき、これに対向する第２筐体の上面に第１凹部を設けておいて、この第１突起と第１凹部とが係止爪の係止力によって係合するように構成しておけば、テンプレートは第２筐体に確実に係合され、第１筐体のスライド移動に影響されることなく、第２筐体のキーボード面上に確実に固定することができる。
【００１２】
一方、第２状態では、第２筐体に対して第１筐体をスライド移動させると、テンプレートが第１筐体のディスプレイ裏面に係合して共にスライド移動する構造となっている。そのため、切換手段は、第２状態では、係止爪による係合を解除し、テンプレートを第１筐体のディスプレイ裏面に押さえ付けた状態で固定するように、例えばバネ等によって付勢する構造となっている。このとき、テンプレートの上面に第２突起を設けておき、第１筐体のディスプレイ裏面に第２凹部を設けておいて、この第２突起と第２凹部とが前記バネ等の付勢力によって係合するように構成しておけば、テンプレートは第１筐体に確実に係合され、第１筐体と共に確実にスライド移動することになる。
【００１３】
このような切換手段を設けることで、キーボード上に配置された各キーボタンの機能を、テンプレートが有るときの第１の機能と、テンプレートが無いときの第２の機能との２種類のボタン機能として使い分けることが可能となる。
【００１４】
キーコードテーブル記憶部には、第１状態（第１の機能）に対応したキーコードテーブルと、第２状態（第２の機能）に対応したキーコードテーブルとが格納されており、テーブル選択手段は、前記切換手段の切り換え動作に応じて、いずれかのキーコードテーブルを選択することで、キーボード操作に伴うキーコードを変更するようになっている。
【発明の効果】
【００１５】
本発明によれば、異なる機能のキーボタンが配置されたテンプレートを第１筐体側または第２筐体側に係合させた状態で、第１筐体と第２筐体とを相互にスライド移動可能な構造としたので、テンプレートの厚さ分は厚くなるものの、テンプレートを収納するスペースを別途設ける必要がないことから、携帯端末として最も要求の強い端末の厚さ方向に対しての影響を最小限に留めることができる。また、テンプレートは携帯端末から分離できない一体構造であるので、移動時等にテンプレートを無くしてしまうといった問題も発生しない。
【発明を実施するための最良の形態】
【００１６】
以下、本発明の実施の形態について、図面を参照して説明する。
【００１７】
＜実施形態１＞
図１は、本発明の携帯端末の実施形態１を示す平面図、図２及び図３は、切換手段の構造を示す縦断面図である。
【００１８】
本実施形態１の携帯端末１Ａは、ディスプレイ１１が配置されたディスプレイ面１２及びディスプレイ面１２の裏面となるディスプレイ裏面１３を有する第１筐体１０と、キーボード２１が配置されたキーボード面２２を有する第２筐体２０と、第１筐体１０と第２筐体２０とを連結する回転軸構造の連結機構部３０とを備えている。連結機構部３０は、第２筐体２０のキーボード面２２を第１筐体１０のディスプレイ裏面１３が覆う第１姿勢（図１（ａ）の状態）と、第２筐体２０のキーボード面２２を露出させる第２姿勢（図１（ｃ），（ｅ）の状態）との間で、第１筐体１０と第２筐体２０とを互いにＲ方向に往復スライド回転移動可能に連結している。この連結機構部３０のより具体的な構造は従来周知の構造であるのでここでは詳細な説明を省略するが、第１姿勢と第２姿勢のいずれか一方の姿勢から他方の姿勢へ、１回の回転操作により、１８０度回転移動できるように構成されている。
【００１９】
このように構成された第１筐体１０のディスプレイ裏面１３と第２筐体２０のキーボード面２２との間に、キーボード面２２上に配置されるテンプレート４０が介挿されている。このテンプレート４０も連結機構部３０に挿通されており、連結機構部３０を回転中心として第１筐体１０と共にスライド回転移動可能に設けられている。
【００２０】
連結機構部３０の下部には、テンプレート４０を第１筐体１０のディスプレイ裏面１３に常に押し当てるように付勢するコイルスプリング３１が圧縮状態で外嵌されており、連結機構部３０の下端部には、このコイルスプリング３１の抜けを防止するための環状の抜け止め片３１ａが形成されている。また、コイルスプリング３１の上端とテンプレート４０の下面との間には、ワッシャ３２が介挿されている。ワッシャ３２を介挿することで、コンルスプリング３１の先端部がテンプレート４０に直接接触することを防止しつつ、テンプレート４０のスムーズなスライド回転移動を確保している。
【００２１】
一方、第２筐体２０の左右両側面２４，２４には、一対の係止杆５１，５１が対向配置されている。この係止杆５１は、側面視逆Ｌ字形状に形成されており、その下端部が側面２４に係止ピン２５によって回動可能に連結されている。また、上部の係止爪５２は互いの方向に延設されており、係止杆５１を閉じたときには、キーボード面２２の端部上方まで回動するようになっている。係止爪５２は、先端部５２ａの厚みが薄く形成されており、この先端部５２ａから連続してテーパ面５２ｂが形成されている。また、この係止杆５１，５１に対向するテンプレート４０の左右両端部にもテーパ面４０ｂが形成されており、係止杆５１の先端部５２ａが、テンプレート４０の上面と第１筐体１０のディスプレイ裏面１３との間に挿入し易くなっている。
【００２２】
そして、係止杆５１，５１を閉じた状態（図２（ａ）に示す状態）としたとき、テンプレート４０の左右両端部のテーパ面４０ｂが係止杆５１，５１の係止爪５２，５２の先端部５２ａによってまず係止され、次に、係止爪５２のテーパ面５２ｂに沿って下方に押し下げられるため、テンプレート４０はコイルスプリング３１の弾発力に対抗して第２筐体２０のキーボード面２２に押し付けられた状態となる。このとき、テンプレート４０の下面に第１突起４１を設けておき、これに対向する第２筐体２０のキーボード面２２に第１凹部２６を設けておいて、この第１突起４１と第１凹部２６とが係合するように構成しておけば、テンプレート４０は第２筐体２０に確実に係合されることになる。従って、この状態で第１筐体１０を、図２（ａ）に示す第１姿勢から図２（ｂ）に示す第２姿勢までＲ１方向（図１（ｂ）参照）に、１８０度スライド回転移動させても、第１筐体１０のスライド回転移動に影響されることなく、テンプレート４０を第２筐体２０のキーボード面２２上に確実に固定することができる。すなわち、このときのキーボード２１の各キーボタンは、テンプレート４０に標記されたキー機能（例えば、数字の１，２，３・・・に対応したキー機能）を実行するキーボタンとなる。
【００２３】
また、第１凹部２６には、第１突起４１の係合を検知するための検知スイッチ６４が配置されている。この検知スイッチ６４は、例えば機械式のリミットスイッチを用いることができ、第１突起４１が第１凹部２６に係合されたとき、この第１突起４１によってリミットスイッチがオンされるようになっている。後述する端末制御部１００は、第１筐体１０が第１姿勢から第２姿勢までスライド回転移動したとき、この検知スイッチ６４のオン、オフ状態によって、テンプレート４０がキーボード面２２上にあるのか、第１筐体１０のディスプレイ裏面１３にあるのかを判別することができるので、その判別結果に応じてキー機能の切り換えを行うことができる。
【００２４】
一方、係止杆５１，５１が開いた状態（図３（ａ）に示す状態）のとき、テンプレート４０は、コイルスプリング３１の弾発力によって第２筐体２０のキーボード面２２から浮き上がり、第１筐体１０のディスプレイ裏面１３に押し付けられた状態となっている。このとき、テンプレート４０の上面に第２突起４２を設けておき、第１筐体１０のディスプレイ裏面１３に第２凹部１４を設けておいて、この第２突起４２と第２凹部１４とが係合するようにしておけば、テンプレート４０は第１筐体１０のディスプレイ裏面１３に確実に係合されることになる。従って、この状態で第１筐体１０を、図３（ａ）に示す第１姿勢から図３（ｂ）に示す第２姿勢までＲ１方向（図１（ｄ）参照）に、１８０度スライド回転移動させると、テンプレート４０も第１筐体１０と共に確実にスライド回転移動することになる。すなわち、このときのキーボード２１の各キーボタンは、キーボード面２２（若しくはキーボタン２１キートップ）に標記されたキー機能（例えば、英語のａ，ｂ，ｃ，・・・に対応したキー機能）を実行するキーボタンとなる。このようなキー機能の切り換えは、上記したように、検知スイッチ６４のオン、オフ状態に基づいて行うことができる。
【００２５】
図４は、上記構成の携帯端末１Ａの電気的構成を示すブロック図である。
【００２６】
本携帯端末１Ａは、各種アプリケーションソフトを実行する端末制御部１００に、キーボードコントローラ１０１、表示コントローラ１０２、及び各種ドライバ１０３が接続されている。
【００２７】
表示コントローラ１０２は、端末制御部１００からの制御により、第１筐体１０に配置されているディスプレイ（液晶表示装置）１１の表示制御を行う。各種ドライバ１０３は、端末制御部１００との双方向の通信により、対応する各種デバイス１０９を制御する。
【００２８】
キーボードコントローラ１０１には、第２筐体２０のキーボード面２２に設けられているキーボード２１のキー出力、及び検知スイッチ６４の出力（オン、オフ信号）が導かれているとともに、動作時には各種アプリケーションソフトを実行するワークエリアとして働くワークメモリ１０５、及びキーコードテーブル格納部１０６が接続されている。
【００２９】
キーコードテーブル格納部１０６には、キーボード面２２（若しくはキーボード２１自体）に標記されたキー機能を実行するキーコードテーブル、及びテンプレート４０に標記されたキー機能を実行するキーコードテーブルが格納されている。
【００３０】
図５は、キーコードテーブル格納部１０６に格納されているキーコードテーブルの一例を示している。すなわち、本実施形態１では、キーボード面２２上にテンプレート４０が無い場合と、有る場合の２種類のキーコードテーブルが格納されており、テンプレート４０が無い場合は、キー番号に従って各キーボタンにａ，ｂ，ｃ，・・・を割り当てたテーブル１（ｔｂｌ１）が用いられ、テンプレート４０が有る場合は、キー番号に従って各キーボタンに１，２，３，・・・を割り当てたテーブル２（ｔｂｌ２）が用いられる。ただし、このような各キーボタンのキー機能の割り当てはあくまで一例であり、携帯端末の機能に応じて適宜設定すればよい。
【００３１】
次に、上記構成の携帯端末１Ａにおけるキー機能の選択処理について、図６に示すフローチャートを参照して説明する。
【００３２】
すなわち、電源がオンされると、キーボードコントローラ１０１は、キー入力の有無と、第１筐体１０が第２筐体２０に対して開いた状態（第２姿勢）となっているか否かとを監視する（ステップＳ１，Ｓ２）。ここで、ステップＳ２の判断は、例えば回転機構部３０の回転状態を検知することで判断できる。
【００３３】
その結果、キーボード２１の操作によるキー入力があったとき、第１筐体１０が第２筐体２０に対して開いた状態であった場合（ステップＳ１，Ｓ２が共にＹｅｓの場合）には、キーボードコントローラ１０１は、次にテンプレート４０がキーボード面２２上に有るか否かを判断する（ステップＳ３）。テンプレート４０の有無の判断は、上記したように検知スイッチ６４がオンかオフかで判断できる。その結果、テンプレート４０が無い場合（すなわち、検知スイッチ６４がオフの場合）、キーボードコントローラ１０１は、キーコードテーブル格納部１０６に格納されているテーブル１（ｔｂｌ１）から、該当するキー入力に対応したキーコード値を読み出して端末制御部１００に出力する（ステップＳ４）。これにより、端末制御部１００は、このキーコード値に対応した処理を開始する。
【００３４】
一方、ステップＳ３においてテンプレート４０がキーボード面２２上に有ると判断された場合（すなわち、検知スイッチ６４がオンの場合）、キーボードコントローラ１０１は、キーコードテーブル格納部１０６に格納されているテーブル２（ｔｂｌ２）から、該当するキー入力に対応したキーコード値を読み出して端末制御部１００に出力する（ステップＳ５）。これにより、端末制御部１００は、このキーコード値に対応した処理を開始する。
【００３５】
＜実施形態２＞
上記実施形態１は、第２筐体２０に対する第１筐体１０のスライド移動が回転機構部３０を中心とするスライド回転移動の場合を例示しているが、本実施形態２では、第２筐体２０に対する第１筐体１０のスライド移動が直線移動の場合について説明する。
【００３６】
図７は、本発明の携帯端末の実施形態２を示す平面図、図８及び図９は、切換手段の構造を示す縦断面図である。
【００３７】
本実施形態２の携帯端末１Ｂは、ディスプレイ１１が配置されたディスプレイ面１２及びディスプレイ面１２の裏面となるディスプレイ裏面１３を有する第１筐体１０と、キーボード２１が配置されたキーボード面２２を有する第２筐体２０と、第１筐体１０と第２筐体２０とを連結する連結機構部７０とを備えている。
【００３８】
連結機構部７０は、第２筐体２０のキーボード面２２を第１筐体１０のディスプレイ裏面１３が覆う第１姿勢（図７（ａ）の状態）と、第２筐体２０のキーボード面２２を露出させる第２姿勢（図７（ｃ），（ｅ）の状態）との間で、第１筐体１０と第２筐体２０とを互いに一方向Ｙに往復スライド移動可能に連結している。
【００３９】
すなわち、第２筐体２０のキーボード面２２の左右両側には、一方向Ｙに沿って平行に一対のスライド溝２７，２７が形成されており、これに対向する第１筐体１０のディスプレイ裏面１３の左右両側には、下方に突出した一対のスライド杆１５，１５が形成されている。すなわち、このスライド杆１５，１５がスライド溝２７，２７内を一方向Ｙに往復スライド移動することで、第１筐体１０と第２筐体２０とが、第１姿勢から第２姿勢に、及び第２姿勢から第１姿勢にスライド移動するようになっている。
【００４０】
このように構成された第１筐体１０のディスプレイ裏面１３と第２筐体２０のキーボード面２２との間に、キーボード面２２上に配置されるテンプレート４０が介挿されている。このテンプレート４０の左右両側にも、一方向Ｙに沿って平行に一対のスライド溝４４，４４が形成されており、このスライド溝４４に第１筐体１０のスライド杆１５が挿通されている。
【００４１】
スライド杆１５の下部には、テンプレート４０を第１筐体１０のディスプレイ裏面１３に常に押し当てるように付勢するコイルスプリング７１が圧縮状態で外嵌されており、スライド杆１５の下端部には、このコイルスプリング７１の抜けを防止するための環状の抜け止め片１５ａが形成されている。また、コイルスプリング７１の上端とテンプレート４０の下面との間には、スライド用のワッシャ７２が介挿されている。このスライド用ワッシャ７２を介挿することで、スライド杆１５がテンプレート４０のスライド溝４４内をスライドするとき、コイルスプリング７１の弾発力によってスライド用ワッシャ７２がテンプレート４０のディスプレイ裏面１３に接触した状態でスライド杆１５と共にスライド移動することで、スライド杆１５のスムーズなスライド移動を確保している。
【００４２】
一方、第２筐体２０の左右両側面２４，２４には、一対の係止杆５１，５１が対向配置されている。この係止杆５１は、側面視逆Ｌ字形状に形成されており、その下端部が側面２４に係止ピン２５によって回動可能に連結されている。また、上部の係止爪５２は互いの方向に延設されており、係止杆５１を閉じたときには、キーボード面２２の端部上方まで回動するようになっている。係止爪５２は、先端部５２ａの厚みが薄く形成されており、この先端部５２ａから連続してテーパ面５２ｂが形成されている。また、この係止杆５１，５１に対向するテンプレート４０の左右両端部にもテーパ面４０ｂが形成されており、係止杆５１の先端部５２ａが、テンプレート４０の上面と第１筐体１０のディスプレイ裏面１３との間に挿入し易くなっている。
【００４３】
そして、係止杆５１，５１を閉じた状態（図８に示す状態）としたとき、テンプレート４０の左右両端部のテーパ面４０ｂが係止杆５１，５１の係止爪５２，５２の先端部５２ａによってまず係止され、次に、係止爪５２のテーパ面５２ｂに沿って下方に押し下げられるため、テンプレート４０はコイルスプリング７１の弾発力に対抗して第２筐体２０のキーボード面２２に押し付けられた状態となる。このとき、テンプレート４０の下面に左右一対の第１突起４１を設けておき、これに対向する第２筐体２０のキーボード面２２に左右一対の第１凹部２６を設けておいて、これら第１突起４１と第１凹部２６とが係合するように構成しておけば、テンプレート４０は第２筐体２０に確実に係合されることになる。従って、この状態で第１筐体１０を、図７（ａ）に示す第１姿勢から図７（ｂ）に示す途中の姿勢を経て図７（ｃ）に示す第２姿勢まで、Ｙ１方向にスライド移動させても、第１筐体１０のスライド移動に影響されることなく、テンプレート４０を第２筐体２０のキーボード面２２上に確実に固定することができる。すなわち、このときのキーボード２１の各キーボタンは、テンプレート４０に標記されたキー機能（例えば、数字の１，２，３・・・に対応したキー機能）を実行するキーボタンとなる。
【００４４】
また、第１凹部２６には、第１突起４１の係合を検知するための検知スイッチ６４が配置されている。この検知スイッチ６４は、例えば機械式のリミットスイッチを用いることができ、第１突起４１が第１凹部２６に係合されたとき、この第１突起４１によってリミットスイッチがオンされるようになっている。
【００４５】
一方、係止杆５１，５１が開いた状態（図９に示す状態）のとき、テンプレート４０は、コイルスプリング７１の弾発力によって第２筐体２０のキーボード面２２から浮き上がり、第１筐体１０のディスプレイ裏面１３に押し付けられた状態となっている。このとき、テンプレート４０の上面に左右一対の第２突起４２を設けておき、第１筐体１０のディスプレイ裏面１３に左右一対の第２凹部１４を設けておいて、これら第２突起４２と第２凹部１４とが係合するようにしておけば、テンプレート４０は第１筐体１０のディスプレイ裏面１３に確実に係合されることになる。従って、この状態で第１筐体１０を、図７（ａ）に示す第１姿勢から図７（ｄ）に示す途中の姿勢を経て図７（ｅ）に示す第２姿勢まで、Ｙ１方向にスライド移動させると、テンプレート４０も第１筐体１０と共に確実にスライド移動することになる。すなわち、このときのキーボード２１の各キーボタンは、キーボード面２２（若しくはキーボタン２１のキートップ）に標記されたキー機能（例えば、英語のａ，ｂ，ｃ，・・・に対応したキー機能）を実行するキーボタンとなる。このようなキー機能の切り換えは、上記したように、検知スイッチ６４のオン、オフ状態に基づいて行うことができる。
【００４６】
なお、上記構成の携帯端末１Ｂの電気的構成は図４と同じであり、キー機能の選択処理のフローチャートは図６と同じであるので、ここでは説明を省略する。
【図面の簡単な説明】
【００４７】
【図１】本発明の携帯端末の実施形態１を示す平面図である。
【図２】実施形態１の切換手段のスライド回転移動の構造を示す縦断面図である。
【図３】実施形態１の切換手段のスライド回転移動の構造を示す縦断面図である。
【図４】本発明の携帯端末の電気的構成を示すブロック図である。
【図５】キーコードテーブルの一例を示す説明図である。
【図６】本発明の携帯端末におけるキー機能の選択処理を説明するためのフローチャートである。
【図７】本発明の携帯端末の実施形態２を示す平面図である。
【図８】実施形態２の切換手段のスライド回転移動の構造を示す縦断面図である。
【図９】実施形態２の切換手段のスライド回転移動の構造を示す縦断面図である。
【符号の説明】
【００４８】
１Ａ，１Ｂ  携帯端末
１０  第１筐体
１１  ディスプレイ（液晶表示装置）
１２  ディスプレイ面
１３  ディスプレイ裏面
１４  第２凹部
１５  スライド杆
２０  第２筐体
２１  キーボード
２２  キーボード面
２４  側面
２５  係止ピン
２６  第１凹部
２７  スライド溝
３０  連結機構部
３１  コイルスプリング
３２  ワッシャ
４０  テンプレート
４０ｂ  テーパ面
４１  第１突起
４２  第２突起
４４  スライド溝
５１  係止杆
５２  係止爪
５２ａ  先端部
５２ｂ  テーパ面
６４  検知スイッチ
７０  連結機構部
７１  コイルスプリング
１００  端末制御部
１０１  キーボードコントローラ
１０２  表示コントローラ
１０３  各種ドライバ
１０５  ワークメモリ
１０６  キーコードテーブル格納部
１０９  各種デバイス
【図１】
2009003634.tif 000003
【図２】
2009003634.tif 000004
【図３】
2009003634.tif 000005
【図４】
2009003634.tif 000006
【図５】
2009003634.tif 000007
【図６】
2009003634.tif 000008
【図７】
2009003634.tif 000009
【図８】
2009003634.tif 000010
【図９】
2009003634.tif 000011